(57)【特許請求の範囲】
【請求項１】
シリコーンオイル中にオゾンを気泡として吹き込みながら、当該シリコーンオイルを撹拌することで、前記シリコーンオイルに、前記オゾンを微細気泡として含有させて殺菌力を与えたことを特徴とするオゾン含有シリコーンオイル。
【請求項２】
前記シリコーンオイルの粘度は、２５度で１ｍＰａ・ｓ〜１００００ｍＰａ・ｓの範囲内である
請求項１に記載のオゾン含有シリコーンオイル。
【請求項３】
前記シリコーンオイルは、ジメチルシリコーンオイル、メチルフェニルシリコーンオイル、メチル水素シリコーンオイル、非反応性の変性シリコーンオイルのいずれかである
請求項１又は２に記載のオゾン含有シリコーンオイル。
【請求項４】
前記シリコーンオイルの粘度が１ｍＰａ・ｓ〜１００ｍＰａ・ｓである場合、本シリコーンオイルを高圧ガスとともにエアゾール容器に充填してエアゾール製品として使用する
請求項１−３のいずれか一項に記載のオゾン含有シリコーンオイル。
【請求項５】
前記シリコーンオイル中にオゾンを吹き込む時間は、少なくとも１０分以上である
請求項１−４のいずれか一項に記載のオゾン含有シリコーンオイル。
【請求項６】
オゾンを発生させる発生部と、
所定の容器に予め充填されたシリコーンオイル中に、前記オゾンを気泡として吹き込む供給部と、
前記シリコーンオイルを撹拌する撹拌部とを備え、
前記シリコーンオイルに、前記オゾンを微細気泡として含有させて殺菌力を与えたことを特徴とするオゾン含有シリコーンオイルの製造装置。
【請求項７】
シリコーンオイル中にオゾンを気泡として吹き込むステップと、
前記シリコーンオイルを撹拌するステップとを備え、
前記シリコーンオイルに、前記オゾンを微細気泡として含有させて殺菌力を与えたことを特徴とするオゾン含有シリコーンオイルの製造方法。
【発明の詳細な説明】
【技術分野】
【０００１】
本発明は、オゾン含有シリコーンオイル、オゾン含有シリコーンオイルの製造装置、製造方法に関し、詳しくは、シリコーンオイルの潤滑油としての機能を活かしつつ、当該シリコーンオイル中に含まれるオゾンの殺菌力で殺菌・消毒を行うことが可能なオゾン含有シリコーンオイル、オゾン含有シリコーンオイルの製造装置、製造方法に関する。
【背景技術】
【０００２】
従来より、人が触れても飲んでも害とならない植物油や動物油にオゾンを含ませて、消毒剤又は殺菌剤として用いている例は、数多く報告されている。
【０００３】
例えば、特開平１０−１３９６４５号公報（特許文献１）には、粘度が１〜１０６Ｐａ・ｓである高粘度物質に対して濃度０．０１〜５００ｐｐｍのオゾン化した気体を溶解又はマイクロバブル化して封入したことを特徴とするオゾン封入粘稠体が開示されている。これにより、長期間にわたって殺菌力などのオゾンの効果を継続して保持するオゾン封入粘稠体を提供することが出来るとしている。前記高粘度物質の組成は、例えば、プロピレングリコール、ポリエチレングリコール、トリエタノールアミン、グリセリン、ワセリン、酢酸トコフェロール、ジブチルヒドロキシトルエン溶液、エデト酸塩溶液、ソルビトール、アイリッシュモス、カラヤガム、メチルセルロース、カルボキシメチルセルロースナトリウム溶液などが挙げられるとしている。
【０００４】
又、特開２０００−３５１９８５号公報（特許文献２）には、オゾン化すべき植物油を収容、密封した容器内に下方からオゾンを供給、噴出させることによりオゾン化植物油を生成する方法が開示されている。当該方法では、前記容器の外にオゾン化すべき植物油を収容したオゾン吸収容器を設置し、前記容器内において未反応の余剰のオゾンをオゾン吸収容器内の下方から噴出させて該容器内の植物油に接触、吸収させることを特徴とする。これにより、容器内で使用し余った余剰のオゾンを用いてオゾン吸収容器内に収容した植物油をオゾン化出来るため、オゾンを無駄に消費することなく、効率よくオゾン化植物油を生成することが出来るとしている。
【０００５】
又、特開２００４−３２９８１０号公報（特許文献３）には、植物油成分としてのオゾン化したオレイン酸を消臭基材とし、当該消臭基材の溶媒としてエタノール水溶液を用いた消臭剤と、スプレー容器に入れて噴霧可能とした消臭剤スプレーとが開示されている。これにより、オゾンと同様の酸化力により日常発生している生活臭にオンサイトで効果を出し、持続性が高く、低コストで持ち運びが簡単で安全であるとしている。
【０００６】
又、特開２００７−２６２１２０号公報（特許文献４）には、構成脂肪酸としてオレイン酸を含有する植物油からオゾン化植物油を製造する方法が開示されている。当該オゾン化植物油を製造する方法は、（ｉ）オゾン化反応容器内に収容されている該植物油中にオゾン／酸素混合ガスを導入して該植物油をオゾニド化する工程、（ｉｉ）該植物油と接触後のオゾン／酸素ガスを塔外へ抜き出し、オゾン分解器へ導入して該酸素ガス中に含まれるオゾンを分解除去する工程からなる。そして、（ｉｉｉ）該植物油へのオゾンの１０分間当りの導入量を、該植物油１ｇ当り、５〜１０ｍｇの範囲とし、その平均導入量を７.５〜８.５ｍｇに調節すること、（ｉｖ）該植物油のオゾン化反応率を、オゾン化反応により生成した含酸素化合物のうちオゾニドの割合が９５質量％以上になるように調節することを特徴とする。これにより、高純度のオゾン化植物油を安定的に製造出来て、当該オゾン化植物油をそのまま殺菌剤や治療薬として用いることが出来るとしている。
【０００７】
又、特開２００７−３３２０７８号公報（特許文献５）には、オゾン溶存グリセリン溶液を含む、無傷の皮膚または粘膜に用いられる外用剤が開示されている。当該外用剤は、オゾンの濃度の初期値が少なくとも８５ｐｐｍである。これにより、皮膚または粘膜における水分蒸散量の低減、しみの低減、たるみの改善、皮脂の除去、ターンオーバーの改善、抗酸化機能の亢進、にきびの低減、真菌の低減など、皮膚または粘膜の健全性を高めることが出来るとしている。
【０００８】
一方、本出願人は、特表２００９−５２５９７４号公報（特許文献６）に示す流動パラフィンまたはワセリンにオゾンを混入させながら撹拌してオゾンを含有させることによって殺菌力が与えられたことを特徴とする、オゾンを含む消毒剤を既に出願し、特許としている。
【先行技術文献】
【特許文献】
【０００９】
【特許文献１】特開平１０−１３９６４５号公報
【特許文献２】特開２０００−３５１９８５号公報
【特許文献３】特開２００４−３２９８１０号公報
【特許文献４】特開２００７−２６２１２０号公報
【特許文献５】特開２００７−３３２０７８号公報
【特許文献６】特表２００９−５２５９７４号公報
【発明の概要】
【発明が解決しようとする課題】
【００１０】
ところで、病院等で医療に用いられる医療装置（医療機器）は、不特定多数の患者に接触する機会が多いことから、毎回、使用後に殺菌・消毒する必要がある。特に、人の血液に確実に触れる医療装置、例えば、人工透析に関する医療装置では、作業者が人の血液に触れると、感染症にかかる可能性があることから、頻繁に殺菌・消毒する必要がある。
【００１１】
一方、上述した医療装置では、メンテナンス上、装置内部の歯車（ギア）やシリンダ（注射筒、シリンジ）の動作を円滑にするために、潤滑油を塗布・注入することが多いが、通常、潤滑油には殺菌力が無いため、作業者が潤滑油による潤滑処理と殺菌・消毒処理を行う必要があり、手間となるという問題がある。尚、上述では、医療装置であるが、食品（加工）装置であっても同様に、殺菌・消毒処理を行うとともに、潤滑処理を行う必要がある。上記問題に対して、上記特許文献１〜６に記載の発明では、解決することが出来ない。
【００１２】
そこで、本発明は、前記問題を解決するためになされたものであり、シリコーンオイルの潤滑油としての機能を活かしつつ、当該シリコーンオイル中に含まれるオゾンの殺菌力で殺菌・消毒を行うことが可能なオゾン含有シリコーンオイル、オゾン含有シリコーンオイルの製造装置、製造方法を提供することを目的とする。
【課題を解決するための手段】
【００１３】
本発明者は、鋭意研究を重ねた結果、本発明に係る新規なオゾン含有シリコーンオイル、オゾン含有シリコーンオイルの製造装置、製造方法を完成させた。
【００１４】
即ち、本発明に係るオゾン含有シリコーンオイルは、シリコーンオイル中にオゾンを気泡として吹き込みながら、当該シリコーンオイルを撹拌することで、前記シリコーンオイルに、前記オゾンを微細気泡として含有させて殺菌力を与えたことを特徴とする。
【００１５】
又、前記シリコーンオイルの粘度は、２５度で１ｍＰａ・ｓ〜１００００ｍＰａ・ｓの範囲内であるよう構成することが出来る。
【００１６】
又、前記シリコーンオイルは、ジメチルシリコーンオイル、メチルフェニルシリコーンオイル、メチル水素シリコーンオイル、非反応性の変性シリコーンオイルのいずれかであるよう構成することが出来る。
【００１７】
又、前記シリコーンオイルの粘度が１ｍＰａ・ｓ〜１００ｍＰａ・ｓである場合、本シリコーンオイルを高圧ガスとともにエアゾール容器に充填してエアゾール製品として使用するよう構成することが出来る。
【００１８】
又、前記シリコーンオイル中にオゾンを吹き込む時間は、少なくとも１０分以上であるよう構成することが出来る。
【００１９】
又、本発明は、オゾン含有シリコーンオイルの製造装置として提供することが出来る。本発明に係るオゾン含有シリコーンオイルの製造装置は、オゾンを発生させる発生部と、所定の容器に予め充填されたシリコーンオイル中に、前記オゾンを気泡として吹き込む供給部と、前記シリコーンオイルを撹拌する撹拌部とを備え、前記シリコーンオイルに、前記オゾンを微細気泡として含有させて殺菌力を与えたことを特徴とする。
【００２０】
又、本発明は、オゾン含有シリコーンオイルの製造方法として提供することが出来る。本発明に係るオゾン含有シリコーンオイルの製造方法は、シリコーンオイル中にオゾンを気泡として吹き込むステップと、前記シリコーンオイルを撹拌するステップとを備え、前記シリコーンオイルに、前記オゾンを微細気泡として含有させて殺菌力を与えたことを特徴とする。
【発明の効果】
【００２１】
本発明に係るオゾン含有シリコーンオイル、オゾン含有シリコーンオイルの製造装置、清掃方法では、シリコーンオイルの潤滑油としての機能を活かしつつ、当該シリコーンオイル中に含まれるオゾンの殺菌力で殺菌・消毒を行うことが可能となる。
【図面の簡単な説明】
【００２２】
【図１】本発明に係るオゾン含有シリコーンオイルを充填したエアゾール試作品の写真と、エアゾール製品の使用形態を示す図である。
【図２】本発明に係るオゾン含有シリコーンオイルの製造装置を示す概念図である。
【図３】本発明に係るオゾン含有シリコーンオイルをS.mutans菌株に入れた場合の実験結果である。
【図４】本発明に係るオゾン含有シリコーンオイルをG.stearothermophilus菌株に入れた場合の実験結果である。
【図５】本発明に係るオゾン含有シリコーンオイルをT.mentagrophytes菌株に入れた場合の実験結果である。
【図６】本発明に係るオゾン含有シリコーンオイルをT.rubrum菌株に入れた場合の実験結果である。
【発明を実施するための形態】
【００２３】
以下に、添付図面を参照して、本発明に係るオゾン含有シリコーンオイル、オゾン含有シリコーンオイルの製造装置、製造方法の実施形態について説明し、本発明の理解に供する。尚、以下の実施形態は、本発明を具体化した一例であって、本発明の技術的範囲を限定する性格のものではない。
【００２４】
＜本発明に係るオゾン含有シリコーンオイル＞
【００２５】
本発明に係るオゾン含有シリコーンオイルは、シリコーンオイル中にオゾンを気泡として吹き込みながら、当該シリコーンオイルを撹拌することで、前記シリコーンオイルに、前記オゾンを微細気泡として含有させて殺菌力を与えたことを特徴とする。
【００２６】
ここで、シリコーンオイルとは、通常、常温（２５度）常圧（１０１３２５Ｐａ）で無色透明の液状のオルガノポリシロキサンであり、他の物質と反応し難いという化学安定性に優れるとともに、水やメタノール等の親水性溶媒と混和（溶解）せず、トルエンやキシレン等の親油性溶媒と混和するという疎水性を有する。尚、本明細書に記載のオイルとは、揮発性が殆ど無く、且つ、流動性を有することを意味する。
【００２７】
一方、オゾンは、常温常圧で気体状の３つの酸素原子からなり、親水性であるとともに、強力な酸化作用を有し、このオゾンの酸化作用が、殺菌・消毒、ウイルスの不活化、脱臭、脱色、有機物分解除去等に寄与する。
【００２８】
そこで、上述のように、シリコーンオイル中にオゾンを気泡として吹き込みながら、当該シリコーンオイルを撹拌すると、当該撹拌により、オゾンが微細気泡（マイクロバブル）に粉砕されてシリコーンオイル中に分散することになるが、当該シリコーンオイルは、自身の化学安定性と疎水性により、前記分散した親水性のオゾンと反応することが無い。そのため、前記シリコーンオイルは、前記オゾンの酸化力（殺菌力）を失活させること無く、当該オゾンを微細気泡として保持（含有）することが可能となる。
【００２９】
又、シリコーンオイルは、他のオイル、例えば、流動パラフィンや植物油、食用油と比較して、界面張力が小さく（２５度で約１６ｍＮ／ｍ〜２１ｍＮ／ｍ）、動摩擦係数が小さい（０．１〜０．３）。そのため、上述のように、シリコーンオイルがオゾンと反応しない場合、自身の界面張力と動摩擦係数により、潤滑油としてそのまま機能することになる。
【００３０】
ここで、界面張力が小さい程、塗布された物質に対して浸透し易いことを示し、動摩擦係数が小さい程、物質間の摩擦力（摩擦抵抗）を下げることを示す。例えば、シリコーンオイルを医療装置の内部の歯車間に塗布すると、他のオイルと比較して、当該シリコーンオイルが前記歯車間の狭い隙間に容易に浸透するとともに、当該歯車間の摩擦力を下げるため、潤滑油として機能する。
【００３１】
一方、前記歯車間と接触したシリコーンオイルには、微細気泡のオゾンが含まれているため、当該オゾンが歯車の表面に存在する細菌（菌体）と接触すれば、当該細菌を直接酸化し、死滅させて、殺菌・消毒することが可能となる。
【００３２】
尚、本明細書に記載の殺菌力があるシリコーンオイルとは、菌体液にシリコーンオイルを添加した場合に当該菌体のコロニーを生じさせることが無く、当該菌体の一般生菌数を例えば、１０分の１以下に減少させることが可能なシリコーンオイルと定義する。
【００３３】
更に、シリコーンオイルは、上述したように、オゾンと殆ど反応しないため、オゾン含有シリコーンオイルとして優れた長期保存性を示し、例えば、常温で数ヶ月（例えば、６ヶ月）、冷蔵（４度）保存で１年以上経過しても、オゾンによる殺菌力が失われることが無い。又、シリコーンオイルは、通常、温度変化による粘度変化が小さく、耐熱性、耐寒性、耐水性、離型性、はっ水性、消泡性に優れていることから、他のオイルと比較して、潤滑油として非常に使い勝手が良い。
【００３４】
このように、本発明に係るオゾン含有シリコーンオイルは、シリコーンオイルの潤滑油としての機能を活かしつつ、当該シリコーンオイル中に含まれるオゾンの殺菌力で殺菌・消毒を行うことが可能となる。そのため、本発明は、潤滑処理と殺菌・消毒処理が必要となる装置、例えば、医療装置、食品加工装置、介護装置、酪農装置に最適に使用することが可能となる。前記医療装置として、例えば、血液と接触する頻度の高い人工透析関連の医療装置（血液ポンプ等）に用いれば、当該医療装置の潤滑性能を維持しつつ、血液接触による感染症の発生を防止することが可能となる。
【００３５】
ここで、本発明に使用されるシリコーンオイルの粘度は、本発明の目的を阻害しない限り、特に限定は無いが、例えば、前記粘度として、２５度で１ｍＰａ・ｓ〜１００００ｍＰａ・ｓの範囲内であると好ましく、２５度で１０ｍＰａ・ｓ〜６０００ｍＰａ・ｓの範囲内、更に、２５度で１０ｍＰａ・ｓ〜１０００ｍＰａ・ｓの範囲内であると更に好ましい。このような構成とすると、前記シリコーンオイルの粘度により、内部における微細気泡のオゾンが相互に結合したり外部表面に浮き出たりし難くなるため、当該オゾンを長期間シリコーンオイル内部に保持させておくことが可能となる。又、適度な粘度により、作業者がシリコーンオイルを所定の箇所に塗布し易く、取り扱い性を向上させることが可能となる。一方、前記シリコーンオイルの粘度が、２５度で１ｍＰａ・ｓ未満の場合、シリコーンオイル中のオゾンが容易に外へ抜け出る可能性があり、２５度で１００００ｍＰａ・ｓを越える場合、シリコーンオイル中にオゾンを入れ難く、更に、作業者がシリコーンオイルを塗り難くなる可能性があり、好ましくない。尚、粘度が大きい程、動き難いことを示し、水の粘度は、２５度で約０．９ｍＰａ・ｓである。
【００３６】
又、本発明に使用されるシリコーンオイルの種類は、本発明の目的を阻害しない限り、特に限定は無いが、例えば、前記シリコーンオイルとして、化学安定性に優れ、経済的である、ジメチルシリコーンオイル（ジメチルポリシロキサン）、メチルフェニルシリコーンオイル（メチルフェニルポリシロキサン）、メチルハンドロジェンシリコーンオイル（メチル水素ポリシロキサン）、非反応性の変性シリコーンオイルが挙げられる。
【００３７】
ここで、変性シリコーンオイルとは、シリコーンオイルの直鎖状分子構造のうち、側鎖又は末端に官能基を導入したものを意味する。前記非反応性の変性シリコーンオイルとして、例えば、シリコーンオイルの側鎖に、ポリエーテル基や長鎖アルキル基を導入したものが挙げられる。
【００３８】
尚、シリコーンオイルは、１種類のシリコーンオイルであっても、２種類以上のシリコーンオイルの混合物であっても構わない。本明細書に記載のシリコーンオイルは、これら両方の意味を包含する。
【００３９】
一方、前記シリコーンオイルとして、揮発性が高い環状ジメチルシリコーンオイルは、オゾンを保持する前に揮発する可能性があり、好ましくなく、反応性を有する変性シリコーンオイルは、オゾンと反応する可能性があり、好ましくない。
【００４０】
又、本発明に使用されるオゾンの種類は、本発明の目的を阻害しない限り、特に限定は無いが、例えば、前記オゾンとして、オゾン単独でも、オゾンと酸素との混合ガスでも構わない。
【００４１】
又、シリコーンオイル中に含まれるオゾンの濃度は、本発明の目的を阻害しない限り、特に限定は無いが、前記濃度として、殺菌力の確保とオゾンの消費量の削減の観点から、例えば、１０ｐｐｍ〜１００００ｐｐｍの範囲内が好ましく、１００ｐｐｍ〜１０００ｐｐｍの範囲内が更に好ましい。
【００４２】
又、本発明に係るオゾン含有シリコーンオイルは、本発明の目的を阻害しない限り、所定の添加物が添加されても構わない。例えば、前記添加物として、香り調整のための香料、品質保持のための酸化防止剤が挙げられる。ここで、オゾンは、通常、本来刺激的な臭いを有するため、前記香料を添加すると、当該オゾンの刺激的な臭いが緩和され、作業者が当該オゾンの臭いを気にせず殺菌・消毒処理を行うことが可能となる。又、前記酸化防止剤を添加すると、オゾンの殺菌力の失活を防止し、長期保存を可能とする。尚、前記添加物の濃度は、例えば、本発明に係るオゾン含有シリコーンオイルの全重量に対して０．０１重量％〜１．００重量％の範囲内が好ましい。
【００４３】
又、本発明に係るオゾン含有シリコーンオイルは、粘度が１ｍＰａ・ｓ〜１００ｍＰａ・ｓである場合、本シリコーンオイルを高圧ガス（圧縮ガス）とともにエアゾール容器（スプレー容器）に充填してエアゾール製品として使用しても良いし、本シリコーンオイルを噴霧器（ポンプ容器）に充填してポンプ製品として使用しても良い。
【００４４】
ここで、本発明に係るオゾン含有シリコーンオイルをエアゾール製品として使用する場合、そのまま吹き付けるように散布しても良いし、図１に示すように、エアゾール製品１０におけるシリコーンオイルの供給口１１に長尺のストロー１２を取り付けて、当該シリコーンオイルを、歯車間の箇所１３のような微細な箇所に簡単に噴霧、注入しても良い。尚、前記高圧ガスは、液化ガスでも良い。又、図１には、本シリコーンオイルを高圧ガスとともにエアゾール容器に充填したエアゾール試作品の写真も示している。
【００４５】
＜本発明に係るオゾン含有シリコーンオイルの製造装置、製造方法＞
【００４６】
次に、本発明に係るオゾン含有シリコーンオイルの製造装置、製造方法について説明する。本発明に係るオゾン含有シリコーンオイルの製造装置２０は、図２に示すように、オゾンを発生させる発生部２１と、密封された所定の容器２２ａに予め充填されたシリコーンオイル２２ｂ中に、前記オゾン２２ｃを気泡として吹き込む供給部２２と、前記シリコーンオイル２２ｂを撹拌する撹拌部２３とを備える。これにより、前記シリコーンオイル２２ｂに、前記オゾン２２ｃを微細気泡として含有させて殺菌力を与え、本発明に係るオゾン含有シリコーンオイルと同等の作用効果を得ることが可能となる。
【００４７】
ここで、発生部２１がオゾン２２ｃを発生させる方法は、本発明の目的を阻害しない限り、特に限定は無いが、例えば、ハロゲンガス及び不活性ガスを含む無水銀のガスを封入した紫外線ランプ又は紫外線ＬＥＤで空気に紫外線を照射したり、放電装置で酸素中に無声放電を行ったりする方法が挙げられる。又、前記発生部２１として、オゾン２２ｃを封入したオゾンボンベをそのまま用いても構わない。
【００４８】
又、供給部２２がオゾン２２ｃを吹き込む方法は、本発明の目的を阻害しない限り、特に限定は無いが、例えば、図１に示すように、長尺の供給管２２ｄの末端部２２ｅを前記容器２２ａ内の底面にそのまま配置したり、当該末端部２２ｅに、封入された気体を微細気泡として放出する多孔性物質の散気管２２ｆを装着したりする方法が挙げられる。
【００４９】
又、撹拌部２３がシリコーンオイル２２ｂを撹拌する方法は、本発明の目的を阻害しない限り、特に限定は無いが、例えば、図１に示すように、所定の撹拌翼２３ａを所定の回転速度で回転させたり、磁力を利用して攪拌子を回転させたり（マグネチックスターラー）する方法が挙げられる。尚、前記シリコーンオイル２２ｂを撹拌する場合、当該シリコーンオイル２２ｂの粘度に応じて、当該シリコーンオイル２２ｂに微細気泡のオゾン２２ｃが十分に混合されるようにオゾン２２ｃの吹き込み量（流量）や回転速度は適宜調整される。
【００５０】
又、シリコーンオイル２２ｂ中にオゾン２２ｃを吹き込む時間は、本発明の目的を阻害しない限り、特に限定は無いが、例えば、前記時間として、１０分以上であると好ましく、１０分〜２４時間の範囲内、更に、１０分〜４時間の範囲内であると更に好ましい。このように構成すると、オゾン２２ｃの殺菌力を確実にするとともに、当該オゾン２２ｃの供給を無駄にすることが無い。
【００５１】
又、本発明は、シリコーンオイル中にオゾンを気泡として吹き込むステップと、前記シリコーンオイルを撹拌するステップとを備えるオゾン含有シリコーンオイルの製造方法とすることが可能である。これにより、前記シリコーンオイルに、前記オゾンを微細気泡として含有させて殺菌力を与え、本発明に係るオゾン含有シリコーンオイルと同等の作用効果を得ることが可能となる。
【００５２】
＜殺菌・消毒作用と潤滑作用＞
【００５３】
次に、本発明に係るオゾン含有シリコーンオイルの殺菌・消毒作用と潤滑作用について説明する。最初に、本発明に係るオゾン含有シリコーンオイルをS.mutans菌株に入れて、当該S.mutans菌株の増殖の有無を確認することで殺菌力を評価した。
【００５４】
先ず、上述した製造方法（製造装置）で市販のシリコーンオイル（ジメチルシリコーンオイル、粘度１．７５ｍＰａ・ｓ  信越シリコーン製  KF-96L-2cs）にオゾンを４時間だけ吹き込んで本発明に係るオゾン含有シリコーンオイルを製造した。次に、所定の培地（BHI Agar
plate）で培養したS.mutans菌株のコロニーを一つとって１０．０ｍｌのブレインハートインフュージョン培地（BHI broth）に入れ、O/N培養し、その中に付属の培養液を０．１ｍｌ均一に塗布し、その上に、先ほど製造した本発明に係るオゾン含有シリコーンオイルを０．１ｍｌ塗布した。そして、それを２５度のインキュベータでO/N培養し、コロニー観察（S.mutans菌株の増殖の有無）を確認した。対照実験として、前記シリコーンオイルのみを塗布したS.mutans菌株の増殖も確認した。
【００５５】
その結果、図３に示すように、本発明に係るオゾン含有シリコーンオイルでは、S.mutans菌株の増殖を確認することが出来なかったため、S.mutans菌株が完全に殺菌（滅菌）されたことを確認した。一方、シリコーンオイルのみでは、S.mutans菌株が増殖した。そのため、本発明に係るオゾン含有シリコーンオイルでは、殺菌・消毒作用があることを確認した。
【００５６】
又、上述の本発明に係るオゾン含有シリコーンオイルの動摩擦係数を、摩擦試験機ＴＹＰＥ−ＨＥＩＤＯＮ−１４（新東科学株式会社製）を用い、荷重２００ｇ、引張速度１００ｍｍ／分の条件で測定した。その結果、本発明に係るオゾン含有シリコーンオイルの動摩擦係数は０．２未満であり、潤滑作用があることを確認した。
【００５７】
尚、上述と同様の実験を、粘度を変更した４種類のシリコーンオイル（ジメチルシリコーンオイル、粘度９６．５ｍＰａ・ｓ  信越シリコーン製  KF-96-100cs、粘度４８５ｍＰａ・ｓ  信越シリコーン製  KF-96-500cs、粘度２９１０ｍＰａ・ｓ  信越シリコーン製  KF-96-3,000cs、粘度９７５０ｍＰａ・ｓ  信越シリコーン製  KF-96H-1万cs）で行っても、同様の結果を得た。
【００５８】
次に、シリコーンオイルの種類を変更した本発明に係るオゾン含有シリコーンオイルをG.stearothermophilus菌株に入れて、当該G.stearothermophilus菌株の増殖の有無を確認した。
【００５９】
先ず、上述した製造方法（製造装置）で市販のシリコーンオイル（メチルフェニルシリコーンオイル、粘度３０００ｍＰａ・ｓ  信越シリコーン製  KF-50-3,000cs）にオゾンを１時間又は２４時間だけ吹き込んで２種類の本発明に係るオゾン含有シリコーンオイルを製造した。次に、G.stearothermophilus菌株を接種されたＢＩディスクを、予め滅菌された試験チューブに入れ、更に、先ほど製造した本発明に係るオゾン含有シリコーンオイルを１．０ｍｌだけ添加した。そして、ボルテックスミキサーで１０秒間だけ混合した後に、SCD培地(Soybean-Casein
Digest Medium)を２．０ｍｌ添加し、５６度のインキュベータでO/N培養し、当該SCD培地の濁り度を確認することで、G.stearothermophilus菌株の増殖の有無を確認した。対照実験として、前記シリコーンオイルのみを塗布したG.stearothermophilus菌株の増殖も確認した。
【００６０】
その結果、図４に示すように、オゾンを１時間だけ吹き込んだ本発明に係るオゾン含有シリコーンオイルでは、G.stearothermophilus菌株がやや死滅して、試験チューブ内のSCD培地の濁り度が薄くなっていた。又、オゾンを２４時間だけ吹き込んだ本発明に係るオゾン含有シリコーンオイルでは、G.stearothermophilus菌株が殆ど死滅して、試験チューブ内のSCD培地が透明になっていた。一方、シリコーンオイルのみでは、G.stearothermophilus菌株が増殖し、試験チューブ内のSCD培地の濁り度が著しかった。
【００６１】
又、上記と同様に、本発明に係るオゾン含有シリコーンオイルの動摩擦係数を測定した結果、いずれも０．２未満であった。
【００６２】
次に、シリコーンオイルの種類を変更した本発明に係るオゾン含有シリコーンオイルをT.mentagrophytes菌株に入れて、当該T.mentagrophytes菌株の増殖の有無を確認した。
【００６３】
先ず、上述した製造方法（製造装置）で市販のシリコーンオイル（メチル水素シリコーンオイル、粘度１９．４ｍＰａ・ｓ  信越シリコーン製  KF-9901）にオゾンを１０分、１時間、２時間、４時間、１０時間、２４時間のいずれかの時間だけ吹き込んで６種類の本発明に係るオゾン含有シリコーンオイルを製造した。次に、上述したS.mutans菌株の実験と同様の手順で、T.mentagrophytes菌株の増殖の有無を確認した。
【００６４】
その結果、図５に示すように、１０分、１時間、２時間、４時間・・・と、オゾンを吹き込む時間が長くなるに従って、T.mentagrophytes菌株の増殖が抑制され、１０時間以上オゾンを吹き込んだ本発明に係るオゾン含有シリコーンオイルでは、T.mentagrophytes菌株の増殖を殆ど確認することが出来なかった。
【００６５】
又、上記と同様に、本発明に係るオゾン含有シリコーンオイルの動摩擦係数を測定した結果、いずれも０．２未満であった。
【００６６】
更に、シリコーンオイルの種類を変更した本発明に係るオゾン含有シリコーンオイルをT.rubrum菌株に入れて、当該T.rubrum菌株の増殖の有無を確認した。
【００６７】
先ず、上述した製造方法（製造装置）で市販のシリコーンオイル（非反応性のポリエーテル変性シリコーンオイル、粘度７４ｍＰａ・ｓ  信越シリコーン製  KF-351A）にオゾンを１０分、１時間、２時間、４時間、１０時間、２４時間のいずれかの時間だけ吹き込んで６種類の本発明に係るオゾン含有シリコーンオイルを製造した。次に、上述したS.mutans菌株の実験と同様の手順で、T.rubrum菌株の増殖の有無を確認した。
【００６８】
その結果、図６に示すように、１０分以上オゾンを吹き込んだ本発明に係るオゾン含有シリコーンオイルでは、T.rubrum菌株の増殖を殆ど確認することが出来なかった。
【００６９】
又、上記と同様に、本発明に係るオゾン含有シリコーンオイルの動摩擦係数を測定した結果、いずれも０．２未満であった。
【００７０】
上述の結果を総合すると、菌体の種類により、殺菌力の強弱はあるものの、シリコーンオイルの粘度、種類に殆ど関係なく、本発明に係るオゾン含有シリコーンオイルは、殺菌力を有するとともに、潤滑油として機能することが理解される。
【００７１】
このように、本発明に係るオゾン含有シリコーンオイルでは、シリコーンオイル中にオゾンを気泡として吹き込みながら、当該シリコーンオイルを撹拌することで、前記シリコーンオイルに、前記オゾンを微細気泡として含有させて殺菌力を与えたことを特徴とする。これにより、シリコーンオイルの潤滑油としての機能を活かしつつ、当該シリコーンオイル中に含まれるオゾンの殺菌力で殺菌・消毒を行うことが可能となる。
【産業上の利用可能性】
【００７２】
以上のように、本発明に係るオゾン含有シリコーンオイル、オゾン含有シリコーンオイルの製造装置、製造方法は、医療装置、食品装置等の潤滑処理及び殺菌・消毒処理が必要な様々な分野の装置に有用である。又、シリコーンオイルの潤滑油としての機能を活かしつつ、当該シリコーンオイル中に含まれるオゾンの殺菌力で殺菌・消毒を行うことが可能なオゾン含有シリコーンオイル、オゾン含有シリコーンオイルの製造装置、製造方法として有効である。
【符号の説明】
【００７３】
２０  製造装置
２１  発生部
２２  供給部
２２ａ  容器
２２ｂ  シリコーンオイル
２２ｃ  オゾン
２３  撹拌部
【図１】
0005598496.tif 000002
【図２】
0005598496.tif 000003
【図３】
0005598496.tif 000004
【図４】
0005598496.tif 000005
【図５】
0005598496.tif 000006
【図６】
0005598496.tif 000007